(57)【要約】【課題】電気掃除機の動作状態等の情報を電気掃除機とは別の外部装置に表示させる電気掃除機を提供する。【解決手段】電気掃除機の動作状態関連情報などを記憶する本体記憶部と、携帯情報端末と近距離無線通信する無線タグとを備え、無線タグは、情報記憶部、通信制御部およびアンテナ部を有し、情報記憶部は、本体記憶部に記憶される情報が更新記憶され、通信制御部は、情報記憶部に記憶される情報を携帯情報端末側へ送信することを指令する送信指令信号を携帯情報端末から受信する受信処理と、送信指令信号に応じて情報記憶部に記憶される情報を携帯情報端末側へ送信する送信処理とを実行し、アンテナ部は、携帯情報端末から無線信号を受信し、携帯情報端末側へ情報を含む無線信号を送信し、アンテナ部が受信した送信指令信号に基づき情報記憶部に記憶される情報をアンテナ部を介して携帯情報端末の表示部へ表示させる。【選択図】          図６
2015192730.tif 000002
【特許請求の範囲】
【請求項１】
掃除機本体と、
吸込口体と、
吸引風を発生する電動送風機と、
前記吸込口体を経由して空気とともに吸引した塵埃を集塵する集塵部と、
動作状態関連情報、操作方法関連情報または前記掃除機本体・付属品の管理情報を記憶する本体記憶部と、
近距離通信送受信部および表示部を有する携帯情報端末と近距離無線通信する無線タグとを備え、
前記無線タグは、情報記憶部、通信制御部およびアンテナ部を有し、
前記情報記憶部は、前記本体記憶部に記憶される前記情報が更新記憶され、
前記通信制御部は、前記情報記憶部に記憶される前記情報を前記携帯情報端末側へ送信することを指令する送信指令信号を前記携帯情報端末から受信する受信処理と、前記送信指令信号に応じて前記情報記憶部に記憶される前記情報を前記携帯情報端末側へ送信する送信処理とを実行し、
前記アンテナ部は、前記携帯情報端末からの前記送信指令信号を含む無線信号を受信し、前記携帯情報端末側へ前記情報を含む無線信号を送信し、
前記アンテナ部が受信した前記送信指令信号に基づき前記情報記憶部に記憶される前記情報を前記アンテナ部を介して前記携帯情報端末側へ送信して前記表示部へ表示させる電気掃除機。
【請求項２】
掃除機本体と、
吸込口体と、
吸引風を発生する電動送風機と、
前記吸込口体を経由して空気とともに吸引した塵埃を集塵する集塵部と、
動作状態関連情報、操作方法関連情報または前記掃除機本体・付属品の管理情報を記憶する本体記憶部と、
近距離通信送受信部および表示部を有する携帯情報端末と近距離無線通信する無線タグとを備え、
前記携帯情報端末は、外部サーバーと接続されるインターネット回線と家屋内機器とに接続される家屋内電力制御装置と無線通信する中距離無線送受信部をさらに有し、
前記無線タグは、情報記憶部、通信制御部およびアンテナ部を有し、
前記情報記憶部は、前記本体記憶部に記憶される前記情報が更新記憶され、
前記通信制御部は、前記情報記憶部に記憶される前記情報を前記携帯情報端末側へ送信することを指令する送信指令信号を前記携帯情報端末から受信する受信処理と、前記送信指令信号に応じて前記情報記憶部に記憶される前記情報を前記携帯情報端末側へ送信する送信処理とを実行し、
前記アンテナ部は、前記携帯情報端末からの前記送信指令信号を含む無線信号を受信し、前記携帯情報端末側へ前記情報を含む無線信号を送信し、
前記アンテナ部が受信した前記送信指令信号に基づき前記アンテナ部を介して前記携帯情報端末側へ送信される前記情報記憶部に記憶される前記情報と、前記家屋内電力制御装置を介して前記外部サーバーから取得したサーバー情報とに基づき、前記表示部へ表示させる電気掃除機。
【請求項３】
前記電動送風機を制御する本体制御部と、
前記電動送風機を制御する制御指令情報を入力する入力部をさらに備える前記携帯情報端末と近距離無線通信する無線タグとを備え、
前記無線タグは、情報記憶部、通信制御部およびアンテナ部を有し、
前記情報記憶部は、前記本体記憶部に記憶される前記情報が更新記憶され、
前記通信制御部は、前記制御指令情報を前記アンテナ部を介して前記携帯情報端末から受信する受信処理を実行するとともに前記本体制御部へ前記制御指令情報を出力し、
前記アンテナ部が受信した前記制御指令情報に基づき前記電動送風機を制御する電気掃除機。
【請求項４】
前記電動送風機が前記掃除機本体に内蔵され、
前記無線タグを前記掃除機本体に配設されることを特徴とする請求項１から請求項３のいずれか１項に記載の電気掃除機。
【請求項５】
使用者により把持される把持部を有する接続パイプをさらに備え、
前記無線タグを前記接続パイプに配設することを特徴とする請求項１から請求項３のいずれか１項に記載の電気掃除機。
【請求項６】
前記無線タグを前記吸込口体に配設することを特徴とする請求項１または請求項２に記載の電気掃除機。
【請求項７】
前記無線タグは、ＮＦＣタグで構成されることを特徴とする請求項１から請求項６のいずれか１項に記載の電気掃除機。
【発明の詳細な説明】
【技術分野】
【０００１】
本発明は無線タグを搭載した電気掃除機に関するものである。
【背景技術】
【０００２】
従来の電気掃除機には、電気掃除機に関する情報等を報知する表示部を掃除機本体に設けたものが提案されている（例えば、特許文献１参照）。
【先行技術文献】
【特許文献】
【０００３】
【特許文献１】特開２００２−２９１６６７号公報
【発明の概要】
【発明が解決しようとする課題】
【０００４】
特許文献１に記載の電気掃除機では、掃除機本体に内蔵された表示部を設け、掃除機本体の記憶部に記憶される情報の表示や入力画面の表示を行っていた。そのため、表示部に表示された情報を確認するために、掃除機本体の表示部を目視する必要がある。例えば、吸込口体と吸引パイプと可撓性を有する蛇腹状のサクションホースを有する電気掃除機を使用する場合は、掃除機本体の車輪を使って床面を転がしながら掃除動作を行ったり、使用者が掃除機本体を持ち上げながら掃除動作を行っている。そのため、掃除機本体の表示部を目視する際の使用者の目と掃除機本体の表示部の位置関係は、使用者の身長や掃除動作によって異なり、全使用者に対して視認性が良い表示部を提供することはできていなかった。一方、視認性を向上させるためには、表示部を拡大する、視認性の良い液晶などを掃除機本体に内蔵する等の対策が必要になり、コストアップや電気掃除機本体の大型化、電気掃除機本体の重量アップなどを招くといった課題があった。
【０００５】
本発明は、前記のような課題を解決するためにされたもので、電気掃除機に表示部を内蔵することなく、電気掃除機の動作状態、操作方法または付属品の管理情報等を電気掃除機とは別の外部装置に表示させることを目的とする。
【課題を解決するための手段】
【０００６】
本発明の電気掃除機は、掃除機本体と、吸込口体と、吸引風を発生する電動送風機と、前記吸込口体を経由して空気とともに吸引した塵埃を集塵する集塵部と、動作状態関連情報、操作方法関連情報または前記掃除機本体・付属品の管理情報を記憶する本体記憶部と、近距離通信送受信部および表示部を有する携帯情報端末と近距離無線通信する無線タグとを備え、前記無線タグは、情報記憶部、通信制御部およびアンテナ部を有し、前記情報記憶部は、前記本体記憶部に記憶される前記情報が更新記憶され、前記通信制御部は、前記情報記憶部に記憶される前記情報を前記携帯情報端末側へ送信することを指令する送信指令信号を前記携帯情報端末から受信する受信処理と、前記送信指令信号に応じて前記情報記憶部に記憶される前記情報を前記携帯情報端末側へ送信する送信処理とを実行し、前記アンテナ部は、前記携帯情報端末からの前記送信指令信号を含む無線信号を受信し、前記携帯情報端末側へ前記情報を含む無線信号を送信し、前記アンテナ部が受信した前記送信指令信号に基づき前記情報記憶部に記憶される前記情報を前記アンテナ部を介して前記携帯情報端末側へ送信して前記表示部へ表示させるものである。
【発明の効果】
【０００７】
本発明によれば、電気掃除機の動作状態関連情報、操作方法関連情報または前記掃除機本体・付属品の管理情報を掃除機本体とは別の外部装置である携帯情報端末に表示させることにより、使用者が表示情報を容易に視認できるとともに、掃除機本体の小型化、軽量化、コスト低減、組立て性向上を実現できる。
【図面の簡単な説明】
【０００８】
【図１】本発明の実施の形態１に係る電気掃除機の外観斜視図である。
【図２】本発明の実施の形態１に係る電気掃除機の掃除機本体の斜視図である。
【図３】本発明の実施の形態１に係る電気掃除機の掃除機本体の集塵ユニットを取り外した状態を示す斜視図である。
【図４】本発明の実施の形態１に係る電気掃除機の掃除機本体の上面図である。
【図５】図４の掃除機本体のａ−ａ線断面図である。
【図６】本発明の実施の形態１に係る電気掃除機のブロック図である。
【図７】本発明の実施の形態１に係る電気掃除機と通信する携帯情報端末のブロック図である。
【図８】本発明の実施の形態２に係る電気掃除機のブロック図である。
【図９】本発明の実施の形態２に係る電気掃除機と通信する携帯情報端末のブロック図である。
【図１０】本発明の実施の形態３に係る電気掃除機のブロック図である。
【図１１】本発明の実施の形態４に係る電気掃除機１の外観図である。
【図１２】本発明の実施の形態４に係る電気掃除機のブロック図である。
【図１３】本発明の実施の形態１に係る電気掃除機の要部である無線タグのブロック図である。
【図１４】本発明の実施の形態１に係る電気掃除機と通信する情報携帯端末の表示部における表示例を示す図である。
【図１５】本発明の実施の形態１に係る電気掃除機と通信する情報携帯端末の表示部における表示例を示す図である。
【図１６】本発明の実施の形態１に係る電気掃除機と通信する情報携帯端末の表示部における表示例を示す図である。
【図１７】本発明の実施の形態１に係る電気掃除機と通信する情報携帯端末の表示部における表示例を示す図である。
【図１８】本発明の実施の形態３に係る電気掃除機と通信する情報携帯端末の表示部（入力部を兼ねる）における電気掃除機に対する指令情報の表示例（入力例）を示す図である。
【図１９】本発明の実施の形態５に係る電気掃除機のブロック図である。
【図２０】本発明の実施の形態５に係る電気掃除機と通信する情報携帯端末の表示部における表示例を示す図である。
【図２１】本発明の実施の形態１に係る電気掃除機の要部と携帯情報端末との通信制御のフローを説明する図である。
【図２２】本発明の実施の形態３に係る電気掃除機の要部と携帯情報端末との通信制御のフローを説明する図である。
【発明を実施するための形態】
【０００９】
この発明を上記の図面を用いて説明する。各図において同符号は同一部分又は相当部分を示しており、その重複説明は適宜に簡略化又は省略する。
【００１０】
実施の形態１
図１において、１は、この発明の実施の形態１に係る電気掃除機である。この電気掃除機１には、床面上のごみや塵埃を含んだ空気（含塵空気）の吸込口を有し、床面上の塵埃を掻きあげる回転ブラシ（図示せず）を有する吸込口体２が備えられている。この吸込口体２には、中空円筒状の吸引パイプ３の一端が接続されている。この吸引パイプ３の他端には、電気掃除機１の運転状態を変更するための操作スイッチ部４ａが配置された接続パイプ４が設けられている。また、吸引パイプ３の他端には、中途で折曲された形状の接続パイプ４を介して、可撓性を有する蛇腹状のサクションホース５の一端が接続されている。
【００１１】
サクションホース５の他端には、掃除機本体６が接続されている。図２から図４に、この掃除機本体６の外観を示す。サクションホース５の他端は、掃除機本体６の前端部に設けられたホース接続部７に接続されている。掃除機本体６には、ホース接続部７と連通された吸引風路１１が設けられている。
【００１２】
また、掃除機本体６の内部には吸引風を発生する電動送風機９や制御回路基板や電源コードのコードリール等が収容されている。掃除機本体６の後部両側には、車輪１０が取り付けられている。なお、掃除機本体６は、電源コードが外部電源に接続されることで通電し、電動送風機９が駆動されて吸引動作を行う。吸込口体２、吸引パイプ３、接続パイプ４及びサクションホース５並びに吸引風路１１は、含塵空気を掃除機本体６の外部から内部に流入させるための吸引経路の一部を構成している。
【００１３】
集塵ユニット８は、掃除機本体６上部側に形成された集塵ユニット収納部６ａに装着・収容される。この際、集塵ユニット８は、掃除機本体６から延設され、集塵ユニット８の外周に配置された収容部材１２により、集塵ユニット８の下側のほぼ半分が覆われた状態で所定の位置に収容される。この集塵ユニット収容部６ａに集塵ユニット８が収容された状態の掃除機本体６を、図５を参照しながら説明する。集塵ユニット８は、略円筒形状の旋回部１３ａ及び集塵部１３ｂで構成される集塵容器１３を有している。また、集塵ユニット８には、吸引風路１１を経て集塵容器１３内に含塵空気を取り込むための流入口(図示せず)が設けられている。集塵容器１３の旋回部１３ａは、流入口から流れ込んだ含塵空気を旋回させて空気とごみ（塵埃）を分離するものである。そして、集塵部１３ｂは、この旋回部１３ａにより含塵空気から分離されたごみ（塵埃）を捕捉するものである。
【００１４】
集塵容器１３の内部には、略円筒形状の排出管１５が、集塵容器１３の略円筒形に対して略同心に配設されている。この排出管１５は、その側壁の一部にメッシュ部材１５ａを備え、このメッシュ部材１５ａによって、集塵容器１３と排出管１５とを連通する連通部１６が構成されている。また、集塵ユニット８には、旋回部１３ａ等で除去しきれなかった微細塵を捕集するフィルター１７、及び、旋回部１３ａ等で含塵空気から塵埃が分離した空気を排出する排出口１８が、備えられている。
【００１５】
さらに、集塵容器１３の内部には、排出管１５の側壁又は底壁から集塵容器１３の内壁に向かって延在し、かつ、集塵容器１３の内壁との間に間隙が形成された状態で配置された隔壁１９ａが設けられている。そして、この隔壁１９ａによって集塵容器１３の旋回部１３ａと集塵部１３ｂとが区画される。また、この隔壁１９ａによって、旋回部１３ａから集塵部１３ｂへと空気が流入することが抑制され、集塵部１３ｂに集積した塵埃が旋回部１３ａ内に再飛散されることが防止される。
【００１６】
吸引風路１１の後方側の端部には流出口(図示せず)が設けられており、集塵ユニット８が掃除機本体６の集塵ユニット収容部６ａに装着・収容されると、この吸引風路１１の流出口と集塵ユニット８の流入口とが接合され、吸引風路１１と集塵容器１３の旋回部１３ａとが連通される。また、掃除機本体６の上部後方寄りには、排気風路２０が設けられている。そして、集塵ユニット８が集塵ユニット収容部６ａに収容された状態では、集塵ユニット８の排出口１８がこの排気風路２０へと接続されるようになっている。
【００１７】
掃除機本体６内部の排気風路２０の先には、電動送風機９が収容された電動送風機収容部６ｂが配設されている。そして、この電動送風機９が、集塵ユニット８の集塵容器１３内への含塵空気埃の吸引を駆動する。すなわち、電動送風機９が動作すると、この電動送風機９が収容された電動送風機収容部６ｂの気圧が低下する。この気圧の低下が電動送風機収容部６ｂから排気風路２０、排出口１８、集塵容器１３、吸引風路１１へと伝播していく。そして、この気圧の低下が最終的に吸込口体２へと至って、吸込口体２における空気の吸引力となる。
【００１８】
こうして、電動送風機９により駆動された吸引力により、吸込口体２を経由して空気とともに吸引された塵埃を含む含塵空気は、吸引パイプ３、接続パイプ４及びサクションホース５を通って掃除機本体６に達する。掃除機本体６に達した含塵空気は、掃除機本体６の吸引風路１１を通り、集塵ユニット８の流入口から、集塵容器１３の旋回部１３ａ内へと流入する。この含塵空気は、旋回部１３ａの側壁に対し略接線方向に流入し旋回気流となる。そして、中心軸近傍の強制渦領域とその外周側の準自由渦領域とを形成しながら、その経路構造と重力とにより下向きに流れていく。このとき、空気中のごみ（塵埃）には遠心力が作用するため、旋回部１３ａの内壁に押し付けられて空気から分離される。
【００１９】
含塵空気から分離された塵埃は、下降する旋回気流に乗って旋回部１３ａの下方に進んだ後、集塵部１３ｂに捕集される。この際、隔壁１９ａにより旋回部１３ａから集塵部１３ｂへの風（空気）の流入が妨げられ、集塵部１３ｂに溜まったごみの再飛散が抑制される。ごみ（塵埃）が除去された空気は、旋回部１３ａから連通部１６を通って排出管１５に流入する。排出管１５に流入した空気は、旋回部１３ａで分離できなかった微細塵がフィルター１７で除去された後、排出口１８から排気風路２０へと排出される。その後、該空気は、排気風路２０及び図示しない排気口からなる排気経路を経て掃除機本体６の外部に排出される。
【００２０】
図６はこの発明の実施の形態１に係る電気掃除機のブロック図である。図７は、後述する携帯情報端末２４のブロック図である。
電気掃除機１は、掃除機本体６、サクションホース５、接続パイプ４、吸引パイプ３及び吸込口２のブロックから構成される。
掃除機本体６は、電動送風機９、制御基板２２及び無線タグ２１を備える。
制御基板２２は、本体制御部２６、本体記憶部２３、双方向サイリスタ１４及び消費電力演算部３２を備える。
無線タグ２１は、アンテナ部２８、通信制御部２９及び情報記憶部３０を備える。
携帯情報端末２４は、表示部２４ａ、入力部２４ｂ、制御部２４ｃ、通信送受信部２４ｄ及び近距離通信送受信部２４ｅを備える。
接続パイプ４は、操作スイッチ部４ａ及び運動量算出部４ｂを備える。
【００２１】
電動送風機９は商用交流電源２７に双方向性サイリスタ１４を介して接続されている。消費電力算出部３２は電動送風機９に流れる電流（実効値）と商用交流電源２７の電源電圧から電動送風機９で消費される電力を算出する。本体制御部２６は双方向サイリスタ１４と消費電力算出部３２と接続される。本体制御部２６が双方向性サイリスタ１４に対して制御信号を送信し、電流の位相角が調整されて通電制御された電流により電動送風機９を駆動する。
【００２２】
本体記憶部２３は、動作状態関連情報、操作方法関連情報または掃除機本体・付属品の管理情報が記憶される。動作状態関連情報とは、電気掃除機１の使用者が当日電気掃除機１を用いて掃除した累積時間や使用電力量、故障情報などを指す。操作方法関連情報とは、電気掃除機１の取扱説明情報であり、例えば、後述する集塵容器１３からの塵埃・ゴミの廃棄方法、回転ブラシのメンテナンス方法、または後述するフィルター１７の掃除方法の説明情報などを指す。掃除機本体の管理情報とは、集塵容器１３に集塵されるゴミ（塵埃）量情報、掃除機本体６の型名情報、吸込口体２に取り付けられる回転ブラシの型名情報などを指す。付属品の管理情報とは、本実施の形態では集塵方式がサイクロン式であるが、紙パック式の電気掃除機であれば紙パックの型名情報など、掃除機の付属品の型名情報などを指す。
【００２３】
無線タグ２１は例えばＮＦＣタグで構成される。図１３は無線タグのブロック図である。実施の形態１では、無線タグ２１は掃除機本体６に設けられる。掃除機本体６には携帯端末かざし位置表示部２５が設けられ、無線タグ２１は携帯端末かざし位置表示部２５に近接して配置される（図５参照）。携帯端末かざし位置表示部２５は、携帯情報端末を近接してかざす（接触してもよい）位置を掃除機本体６の外部に印刷や刻印等で表示する部分であり、本実施の形態１では、集塵ユニット８の後方で、排気風路２０の上方の外壁に設けられる。
情報記憶部３０は、本体記憶部２３に記憶される前記情報（動作状態関連情報、操作方法関連情報または掃除機本体・付属品の管理情報）が更新記憶される。さらに、携帯情報端末２４からアンテナ部２８を介して受信した情報が記憶される。
通信制御部２９は、情報記憶部３０に記憶される前記情報を携帯情報端末２４側へ送信することを指令する送信指令信号を携帯情報端末２４から受信する受信処理と、送信指令信号に応じて情報記憶部３０に記憶される前記情報を携帯情報端末２４側へ送信する送信処理とを実行する。
アンテナ部２８は、通信制御部２９や情報記憶部３０を構成する無線タグＩＣチップ３１の周囲を取り巻くように配設されるループアンテナにより構成される。アンテナ部２８は、携帯情報端末２４からの送信指令信号を含む無線信号を受信し、携帯情報端末２４側へ前記情報を含む無線信号を送信する。
無線タグ２１は、制御基板２２から電源供給線（図示せず）により電源が供給される。
【００２４】
携帯情報端末２４は例えばスマートフォンである。
入力部２４ｂは、携帯情報端末２４で通話する場合の電話番号入力やｗｅｂ接続などの操作に用いる他、情報記憶部３０に記憶される前記情報を携帯情報端末２４側へ送信することを指令する送信指令信号を無線タグ２１に送信するための入力を行うものであり、表示部２４ａをタッチ入力することにより入力ができ、表示部２４ａが入力部２４ｂを兼ねる。
表示部２４ａは、入力の際の画面表示の他に、無線タグ２１のアンテナ部２８から携帯情報端末２４の近距離通信送受信部２４ｅを経由して受信されたアンテナ部２８を介して携帯情報端末２４側へ送信された、情報記憶部３０に記憶される前記情報を表示する。
制御部２４ｃは、入力部２４ｂの入力処理、表示部２４ａの表示処理、無線タグ２１との間の近距離通信送受信処理及び通話処理やｗｅｂ接続処理などを実行する。
通信送受信部２４ｄは携帯情報端末２４の外部（無線タグ２１、基地局側等）との無線通信の送受信を行う。通信送受信部２４ｄには無線タグ２１との間で近距離無線送受信を行う近距離通信送受信部２４ｅを含む。
【００２５】
接続パイプ４の操作スイッチ部４ａは、電動送風機２７の駆動開始、停止や、出力の制御（例えば、「強」、「中」、「弱」）を指令するものである。
運動量算出部４ｂは例えば加速度センサーであり、接続パイプ４内に設けられる。例えば、掃除動作時の接続パイプ４を前後方向に往復運動する際の加速度を検出し、これを２回積分することにより接続パイプ４の往復のストロークが算出できる。このストロークから運動量（消費カロリー）を算出する。
【００２６】
次に、動作について説明する。
図２１は、この発明の実施の形態１に係る各部の通信制御のフロー説明図である。
掃除機本体６に設けた携帯端末かざし位置表示部２５に近距離通信機能を備えた携帯情報端末２４を近接させると、無線タグ２１内のアンテナ部２８が携帯情報端末２４の近距離無線送受信部２４ｅからの無線信号を受信する。この無線信号には、無線タグ２１の情報記憶部３０に記憶される情報を携帯情報端末２４側へ送信することを指令する送信指令信号が含まれる。この無線信号に含まれる送信指令信号の情報は通信制御部２９で受信処理される。通信制御部２９は、本体記憶部２３に記憶される情報を携帯情報端末２４側に送信するための指令信号を本体制御部２６に送信する。本体制御部２６は指令信号を受信し、この指令信号に基づいて本体記憶部２３に記憶されている情報を無線タグ２１の通信制御部２９に送信する。そして、通信制御部２９は情報記憶部３０の情報を本体記憶部２３に記憶されている情報に更新する。
【００２７】
通信制御部２９は更新された情報記憶部３０の情報を、アンテナ部２８を介して携帯端末かざし位置表示部２５に近接されている携帯情報端末２４側に送信処理する。ここで、情報記憶部３０に更新記憶された情報を送信するかわりに、本体記憶部２３に記憶される情報を直接送信してもよい。そして、本体記憶部２３又は情報記憶部３０のいずれかに記憶されている情報は、情携帯情報端末２４の近距離通信送受信部２４ｅで受信される。制御部２４ｃは、受信された情報を表示部２４ａへ表示する。このように、掃除機本体６内の本体記憶部２３又は前記情報記憶部３０の少なくともいずれかの情報に基づいた情報を携帯情報端末２４の表示部から報知することが可能となる。
【００２８】
ここで、本体記憶部２３に記憶される情報の情報量が大きく、情報記憶部３０の記憶容量を超える場合は、報記憶部３０に記憶される情報を分割して情報記憶部３０に送信し、情報記憶部３０で更新記憶された情報を携帯情報端末２４へ送信し、この送信が完了したら、分割された次の情報記憶部３０に記憶される情報を逐次情報記憶部３０に送信して、携帯情報端末２４へ送信する。このように、情報記憶部３０の記憶容量を超える情報を携帯情報端末２４へ送信することができる。
【００２９】
図１４及び図１５は、携帯情報端末２４の表示部２４ａに表示させる情報の例として、掃除機本体６の動作状態関連情報を示している。
図１４は、掃除時間、消費電力量、目安電気代（今回の掃除分、１週間の累積値、１か月の累積値）の情報を表示する例である。掃除機本体６の動作状態関連情報として、掃除時間と、消費電力算出部３２からの情報を基に本体制御部２６にて掃除動作中に消費した消費電力量及び電気代を算出する。本体制御部２６は、掃除動作の開始を検出してから現在までの使用時間を計時し、本体記憶部２３に記憶する。また、本体記憶部２３には単位電力量あたりの電気代の情報が記憶され、本体制御部２６は今回の掃除における電気代（目安電気代）を算出する。また、本体記憶部２３には、最近１週間及び１か月間における電気代の累積値が目安電気代として記憶される。掃除時間、消費電力量、目安電気代（今回の掃除分、１週間の累積値、１か月の累積値）の情報を携帯情報端末２４へ送信し、携帯情報端末２４の表示部２４ａに表示させる。
【００３０】
図１５は、消費カロリー情報（今回の掃除分、１週間の累積値）と、掃除時間（今回の掃除分、１週間の累積値）及び掃除動作のアドバイス情報を表示する例である。接続パイプ４内に接続パイプ４の運動量を算出する運動量算出部４ｂである加速度センサーを設ける。運動量算出部４ｂで消費カロリーを計算する。なお、本体制御部２６は、掃除動作の開始を検出してから現在までの掃除時間を計時し、本体記憶部２３に記憶する。さらに、最近１週間の掃除時間の累積値と消費カロリーの累積値を本体記憶部２３に記憶する。さらに掃除中の接続パイプ４の操作速度などの情報から掃除動作のアドバイス情報を本体記憶部２３に記憶する。本体記憶部２３に記憶される消費カロリー情報（今回の掃除分、１週間の累積値）と、掃除時間（今回の掃除分、１週間の累積値）及び掃除動作のアドバイス情報を携帯情報端末２４へ送信し、携帯情報端末２４の表示部２４ａに表示させる。
【００３１】
図１６及び図１７は、携帯情報端末２４の表示部２４ａに表示させる情報の例として、操作方法関連情報及び掃除機本体・付属品の管理情報を示している。
図１６は、掃除機本体６の管理情報として集塵容器１３に集塵されるゴミ（塵埃）量情報を、操作方法関連情報として集塵容器１３からのゴミの廃棄方法と取扱説明書の情報を表示する例である。これらの情報を携帯情報端末２４へ送信し、携帯情報端末２４の表示部２４ａに表示させる。
【００３２】
図１７は、動作状態関連情報、掃除機本体・付属品の情報として、掃除機本体６の型名情報、ブラシの故障情報及び対応手段を表示する例である。これらの情報を携帯情報端末２４へ送信し、携帯情報端末２４の表示部２４ａに表示させる。
【００３３】
このように、実施の形態１の電気掃除機によれば、掃除機本体と、吸込口体と、吸引風を発生する電動送風機と、前記吸込口体を経由して空気とともに吸引した塵埃を集塵する集塵部と、動作状態関連情報、操作方法関連情報または前記掃除機本体・付属品の管理情報を記憶する本体記憶部と、近距離通信送受信部および表示部を有する携帯情報端末と近距離無線通信する無線タグとを備え、前記無線タグは、情報記憶部、通信制御部およびアンテナ部を有し、前記情報記憶部は、前記本体記憶部に記憶される前記情報が更新記憶され、前記通信制御部は、前記情報記憶部に記憶される前記情報を前記携帯情報端末側へ送信することを指令する送信指令信号を前記携帯情報端末から受信する受信処理と、前記送信指令信号に応じて前記情報記憶部に記憶される前記情報を前記携帯情報端末側へ送信する送信処理とを実行し、前記アンテナ部は、前記携帯情報端末からの前記送信指令信号を含む無線信号を受信し、前記携帯情報端末側へ前記情報を含む無線信号を送信し、前記アンテナ部が受信した前記送信指令信号に基づき前記情報記憶部に記憶される前記情報を前記アンテナ部を介して前記携帯情報端末側へ送信して前記表示部へ表示させるように構成したので、電気掃除機の動作状態関連情報、操作方法関連情報または前記掃除機本体・付属品の管理情報を掃除機本体とは別の外部装置である携帯情報端末に表示させることにより、使用者が携帯情報端末上の表示情報を容易に視認できる。また、掃除機本体に表示部が不要となり、掃除機本体の小型化、軽量化、コスト低減、組立て性向上を実現できる。
【００３４】
また、無線タグを掃除機本体に設けたことにより、掃除機本体内に配設される制御基板と近い位置に無線タグを設けることができるので、無線タグと制御基板との間の電源供給線や信号線の引き回しが短くなり、これらの引き回しのコストが低減できるとともに、信号線へのノイズの混入を抑制できる利点がある。
【００３５】
また、無線タグ２１を国際標準規格である近距離無線通信技術ＮＦＣ（Ｎｅａｒ  Ｆｉｅｌｄ  Ｃｏｍｍｕｎｉｃａｔｉｏｎ）で構成することにより、ＮＦＣ機能が搭載された一般的な携帯情報端末を使用し、この携帯情報端末に無線タグを経由した送受信専用アプリケーションをインストールするだけで電気掃除機１と携帯情報端末２４の情報の相互通信が可能となり、専用の携帯情報端末を新たに用意する必要がない。
【００３６】
また、本実施例では報知手段として携帯情報端末２４の表示部を採用したものについて説明したが、使用者に対して報知することができる手段であれば他の報知手段を採用したものであってもよい。
【００３７】
また、本実施例では本体制御部２６と本体記憶部２３を分割して説明したが、本体制御部２６と本体記憶部２３を一つのマイクロコンピュータなどで構成したものであってもよい。
【００３８】
また、本実施例では通信制御部２９と情報記憶部３０を分割して説明したが、通信制御部２９と情報記憶部３０を一つのマイクロコンピュータなどで構成したものであってもよい。
【００３９】
また、本実施例では操作方法関連情報及び付属品の管理情報を本体記憶部２３に記憶させたもので説明したが、操作方法関連情報及び付属品の管理情報を携帯情報端末２４の制御部２４ｃに記憶させ、情報記憶部３０に記憶した掃除機本体１の管理情報に基づいて、操作方法関連情報及び付属品の管理情報を携帯情報端末２４の表示部２４ａに表示させたものであってもよい。
【００４０】
また、本実施例では集塵方式としてサイクロン式を採用したものについて説明したが、近距離通信機能を備えた携帯情報端末２４と通信可能な無線タグ２１を搭載した掃除機であればサイクロン式に限らず、他の集塵方式を採用したものであってもよい。
【００４１】
また、本実施例では前記サクションホース５、前記吸引パイプ３、前記吸込口体２が搭載されたものについて説明したが、前記サクションホース５、前記吸引パイプ３、前記吸込口体２が搭載されていないものであってもよい。
また、以上に示したようなキャニスタータイプの電気掃除機に限られるものでもない。
【００４２】
実施の形態２．
図８はこの発明の実施の形態２に係る電気掃除機のブロック図である。図９は実施の形態２に係る電気掃除機と通信する携帯情報端末のブロック図である。実施の形態１との違いは、携帯情報端末２４の無線送受信部２４ｄに、中距離通信送受信部２４ｆをさらに備える点である。中距離通信送受信部２４ｆは、外部サーバー４３と接続されるインターネット回線４２と家屋内機器４１とに接続される家屋内電力制御装置４０と無線通信するものである。
【００４３】
中距離通信送受信部２４ｆは、無線ＬＡＮで送受信する装置である。外部サーバー４３は例えば、電力会社サーバーである。家屋内機器４１はＴＶである。家屋内電力制御装置４０はＨＥＭＳコントローラ（ＨＥＭＳ：Ｈｏｍｅ  Ｅｎｅｒｇｙ  Ｍａｍａｇｅｍｅｎｔ  Ｓｙｓｔｅｍ）である。
【００４４】
次に、動作について説明する。
携帯情報端末２４は、家屋内電力制御装置４０を介してインターネット回線４２に接続された外部サーバー４３に記憶される情報を取得する。取得した外部サーバー４３の情報は、携帯情報端末２４から掃除機本体６の無線タグ２１を経由して本体制御部２６に送信される。外部サーバー４３に記憶される情報が電力会社サーバーの時間帯毎の電気料金の場合、掃除機本体６の本体制御部２６が消費電力量に対する電気代を算出する際にサーバー情報を用いることにより、時間帯毎の電気料金を考慮して電気代の算出ができる。
また、外部サーバー４３が電気掃除機１のメーカのサーバーの場合、後述する取扱説明情報をメーカのサーバーに記憶される取扱説明情報を同様の手順で掃除機本体６にダウンロードできる。
【００４５】
さらに、実施の形態１で示した、携帯情報端末２４の表示部２４ａに表示した情報は、家屋内電力制御装置４０を介して、家屋内機器４１であるＴＶ画面に表示することができる。特に、消費カロリー情報をＴＶ画面に表示すれば家族で共有しやすくなり、掃除を楽しむ動機付けになる。
【００４６】
このように、実施の形態２の電気掃除機によれば、掃除機本体と、吸込口体と、吸引風を発生する電動送風機と、前記吸込口体を経由して空気とともに吸引した塵埃を集塵する集塵部と、動作状態関連情報、操作方法関連情報または前記掃除機本体・付属品の管理情報を記憶する本体記憶部と、近距離通信送受信部および表示部を有する携帯情報端末と近距離無線通信する無線タグとを備え、前記携帯情報端末は、外部サーバーと接続されるインターネット回線と家屋内機器とに接続される家屋内電力制御装置と無線通信する中距離無線送受信部をさらに有し、前記無線タグは、情報記憶部、通信制御部およびアンテナ部を有し、前記情報記憶部は、前記本体記憶部に記憶される前記情報が更新記憶され、前記通信制御部は、前記情報記憶部に記憶される前記情報を前記携帯情報端末側へ送信することを指令する送信指令信号を前記携帯情報端末から受信する受信処理と、前記送信指令信号に応じて前記情報記憶部に記憶される前記情報を前記携帯情報端末側へ送信する送信処理とを実行し、前記アンテナ部は、前記携帯情報端末からの前記送信指令信号を含む無線信号を受信し、前記携帯情報端末側へ前記情報を含む無線信号を送信し、前記アンテナ部が受信した前記送信指令信号に基づき前記アンテナ部を介して前記携帯情報端末側へ送信される前記情報記憶部に記憶される前記情報と、前記家屋内電力制御装置を介して前記外部サーバーから取得したサーバー情報とに基づき、前記表示部へ表示させるので、外部サーバーに記憶される情報を掃除機本体に取得でき、携帯情報端末の表示部に表示させる情報の精度が向上したり、多様な情報を表示させることができる。
【００４７】
実施の形態３．
図１０はこの発明の実施の形態３に係る電気掃除機のブロック図である。実施の形態１との違いは、本体制御部２６が電動送風機９を制御する制御指令情報を、携帯情報端末２４の入力部２４ｂから掃除機本体６に設けられた無線タグ２１を介して入力するものである。
無線タグ２１の通信制御部２９は、電動送風機９の制御指令情報をアンテナ部２８を介して携帯情報端末２４から受信する受信処理を実行するとともに、本体制御部２６へ制御指令情報を出力する。
【００４８】
次に、動作について説明する。
図１８は、実施の形態３に係る電気掃除機と通信する情報携帯端末の表示部（入力部を兼ねる）における電気掃除機に対する指令情報の表示例（入力例）を示す。図２２は、実施の形態３に係る電気掃除機の要部と携帯情報端末との通信制御のフローを説明する図である。
携帯情報端末２４の入力部２４ａから、電動送風機９の回転数を、毎分４００００回から毎分３８０００回に調整する内容の制御指令情報を入力して確定する。これは、図２２の、「本体制御部情報変更操作」と「本体制御部情報変更内容確定」の手順に相当する。
次に、掃除機本体６に設けた携帯端末かざし位置表示部２５に近距離通信機能を備えた携帯情報端末２４を近接させると、無線タグ２１内のアンテナ部２８が携帯情報端末２４の近距離無線送受信部２４ｅからの無線信号を受信する。この無線信号には、電動送風機９の回転数に係る制御指令情報が含まれる。この無線信号に含まれる制御指令情報は通信制御部２９で受信処理される。そして、通信制御部２９から本体制御部２６へ送信される。本体制御部２６は、制御指令情報を元に本体記憶部２３の情報を更新すると共に、制御指令情報に基づき電動送風機９の回転数を変更するように、双方向サイリスタ１４へ出力する位相角制御信号を調整して、電動送風機９に流れる電流を制御する。さらに、本体制御部２６が携帯情報端末２４からの情報を受信完了した旨の本体制御部受信完了情報を無線タグ２１を介して携帯情報端末２４に無線送信する。携帯情報端末２４が本体制御部受信完了情報を受信したら、携帯情報端末表示部２４aに本体制御部受信完了したことを報知する。
【００４９】
このように、実施の形態３に係る電気掃除機は、電動送風機を制御する本体制御部と、前記電動送風機を制御する制御指令情報を入力する入力部をさらに備える前記携帯情報端末と近距離無線通信する無線タグとを備え、前記無線タグは、情報記憶部、通信制御部およびアンテナ部を有し、前記情報記憶部は、前記本体記憶部に記憶される前記情報が更新記憶され、前記通信制御部は、前記制御指令情報を前記アンテナ部を介して前記携帯情報端末から受信する受信処理を実行するとともに前記本体制御部へ前記制御指令情報を出力し、前記アンテナ部が受信した前記制御指令情報に基づき前記電動送風機を制御するので、電気掃除機１には電動送風機の駆動開始、停止や、出力の制御等を指令する操作スイッチ部が不要となり、掃除機本体の小型化、軽量化、コスト低減、組立て性向上を実現できる。
【００５０】
実施の形態４．
図１１はこの発明の実施の形態４に係る電気掃除機１の外観図である。図１２はこの発明の実施の形態４に係る電気掃除機のブロック図である。実施の形態１との違いは、接続パイプ４に無線タグ２１と携帯情報端末かざし位置表示部２５を設けた点である。携帯情報端末かざし位置表示部２５に近接して無線タグ２１が設けられる。
使用者により把持される把持部４ｃを有する接続パイプ部４に無線タグ２１を配設することで、使用者は掃除動作中に携帯情報端末２４を無線タグ２１に近接させる際に屈むことなく近接操作を行うことが可能となる。
【００５１】
このように、実施の形態４の電気掃除機によれば、使用者により把持される把持部を有する接続パイプをさらに備え、前記無線タグを前記接続パイプに配設したので、使用者は掃除動作中に携帯情報端末を無線タグに近接させる際に屈むことなく近接操作を行うことが可能となり、使い勝手のよい電気掃除機が得られる。
【００５２】
実施の形態５．
図１９はこの発明の実施の形態５に係る電気掃除機のブロック図である。実施の形態４との違いは、吸込口体２に無線タグ２１と携帯情報端末かざし位置表示部２５を設けた点である。携帯情報端末かざし位置表示部２５に近接して無線タグ２１が設けられる。
吸込口体２に無線タグ２１を配設することで、使用者が容易に吸込口体２に係る情報を携帯情報端末２４で確認することができる。例えば、携帯情報端末２４を吸込口体２に近接させるだけで、携帯情報端末表示部２４ａに吸込口体２のメンテナンス方法を表示させることができ、使用者が欲しい情報へのアクセスが直観的にわかりやすい。
【００５３】
図２０は、吸込口体２のメンテナンス方法を携帯情報端末表示部２４aに表示する表示例を示す。ここでは、電気掃除機の付属品の管理情報として、ブラシの型名情報とメンテナンス情報を表示する。さらに、詳細なメンテナンス情報として、取扱説明書のダウンロードが可能な入力表示もされる。
取扱説明書をダウンロードする場合、図７に示したように、携帯情報端末２４の通信送受信部２４ｄが電気掃除機メーカのサーバーに直接アクセスしてダウンロードしてもよい。また、図８及び図９に示したように、携帯情報端末２４の中距離通信送受信部２４ｆが家屋内電力管理装置４０を経由してインターネット回線４２に接続された電気掃除機メーカのサーバーにアクセスしてダウンロードしてもよい。
【００５４】
このように、実施の形態５の電気掃除機によれば、無線タグを吸込口体に配設したので、携帯情報端末を吸込口体に近接させるだけで吸込口体に係る情報を携帯情報端末に表示させることができ、使用者が欲しい情報へのアクセスが直観的にわかりやすく、使い勝手のよい電気掃除機が得られる。
【００５５】
なお、実施の形態１から実施の形態５において、無線タグ２１への電源供給を制御基板２２から電源供給線により行わず、携帯情報端末２４から受信される無線信号の電力を用いて供給するようにしてもよい。無線タグ２１の設定場所の制約がなくなり、設計の自由度が増すことができる。
【符号の説明】
【００５６】
１  電気掃除機、２  吸込口体、３  吸引パイプ、４  接続パイプ、４ａ  操作スイッチ部、４ｂ  運動量算出部、４ｃ  把持部、５  サクションホース、６  掃除機本体、６ａ  集塵ユニット収容部、６ｂ  電動送風機収容部、７  ホース接続部、８  集塵ユニット、９  電動送風機、１０  車輪、１１  吸引風路、１２  収容部材、１３  集塵容器、１３ａ  旋回部、１３ｂ  集塵部、１４  双方向性サイリスタ、１５  排出管、１５ａ  メッシュ部材、１６  連通部、１７  フィルター、１８  排出口、１９  構造体、１９ａ  隔壁、２０  排気風路、２１  無線タグ、２２  制御基板、２３  本体記憶部、２４  携帯情報端末、２４ａ  表示部、２４ｂ  入力部、２４ｃ  制御部、２４ｄ  通信送受信部、２４ｅ  近距離通信送受信部、２４ｆ  中距離通信送受信部、２５  携帯情報端末かざし位置表示部、２６  本体制御部、２７  商用交流電源、２８  アンテナ部、２９  通信制御部、３０  情報記憶部、３１  無線タグＩＣチップ、３２  消費電力算出部、４０  家屋内電力制御装置、４１  家屋内機器、４２  インターネット回線、４３  外部サーバー。
【図１】
2015192730.tif 000003
【図２】
2015192730.tif 000004
【図３】
2015192730.tif 000005
【図４】
2015192730.tif 000006
【図５】
2015192730.tif 000007
【図６】
2015192730.tif 000008
【図７】
2015192730.tif 000009
【図８】
2015192730.tif 000010
【図９】
2015192730.tif 000011
【図１０】
2015192730.tif 000012
【図１１】
2015192730.tif 000013
【図１２】
2015192730.tif 000014
【図１３】
2015192730.tif 000015
【図１４】
2015192730.tif 000016
【図１５】
2015192730.tif 000017
【図１６】
2015192730.tif 000018
【図１７】
2015192730.tif 000019
【図１８】
2015192730.tif 000020
【図１９】
2015192730.tif 000021
【図２０】
2015192730.tif 000022
【図２１】
2015192730.tif 000023
【図２２】
2015192730.tif 000024